(57)【要約】【課題】印刷ペーストを確実に保持するとともに、糸引きがランダムに発生することを抑制することが可能で、グラビア印刷により、平滑性や厚みの均一性に優れた図形パターンを形成することが可能なグラビア印刷用版、それを用いた積層セラミック電子部品の製造方法およびグラビア印刷装置を提供する。【解決手段】グラビアロールの外周面に、屈曲部１２を有し、略印刷方向に沿って伸びる複数の印刷方向土手１３を、互いに略平行に配設することにより、印刷すべき図形パターンに対応する印刷パターンＰを形成する。  また、開口領域を、印刷方向に所定の間隔をおいて仕切る印刷ペースト溜め用土手を配設し、かつ、各印刷ペースト溜め用土手の少なくとも一箇所に、印刷ペーストの印刷方向への流動を許容する切り欠き部を設ける。【選択図】図１
2006110916.tif 000002
【特許請求の範囲】
【請求項１】
グラビア印刷法により、印刷ペーストを所定の図形パターンとなるように被印刷物上に印刷するためのグラビア印刷用版であって、
円筒状のグラビアロールの外周面に、印刷すべき図形パターンに対応する印刷パターンが複数形成されており、
前記印刷パターンが、屈曲部を有し、略印刷方向に沿って伸びる複数の印刷方向土手を互いに略平行に配設することにより形成されていること
を特徴とするグラビア印刷用版。
【請求項２】
前記印刷方向土手が千鳥状に屈曲していることを特徴とする請求項１記載のグラビア印刷用版。
【請求項３】
互いに隣り合う前記印刷方向土手に挟まれた、印刷方向に伸びる開口領域、および、印刷パターンの略印刷方向に沿う側縁部と、複数の前記印刷方向土手のうち、前記側縁部に最も近い印刷方向土手との間に形成される開口領域の少なくとも一方を、印刷方向に所定の間隔をおいて仕切る印刷ペースト溜め用土手が配設され、かつ、各印刷ペースト溜め用土手の少なくとも一箇所に、前記印刷ペーストの印刷方向への流動を許容する切り欠き部が形成されていることを特徴とする請求項１または２記載のグラビア印刷用版。
【請求項４】
開口領域の平面面積の、印刷パターンの単位面積に対する割合を、所定の領域において他の領域と異ならせたことを特徴とする請求項１〜３のいずれかに記載のグラビア印刷用版。
【請求項５】
各印刷パターンにおいて、前記印刷方向土手以外の開口領域の平面面積の、印刷パターンの単位面積に対する割合を、印刷方向に直交する方向の両端側において小さくしたことを特徴とする請求項１〜４のいずれかに記載のグラビア印刷用版。
【請求項６】
各印刷パターンにおいて、前記印刷方向土手以外の開口領域の平面面積の、印刷パターンの単位面積に対する割合を、印刷パターンの周辺部において、印刷パターンの中央部よりも小さくしたことを特徴とする請求項１〜４のいずれかに記載のグラビア印刷用版。
【請求項７】
請求項１〜６のいずれかに記載のグラビア印刷用版を用いて、セラミックグリーンシートまたはキャリアフィルム上に導電性ペーストを印刷して、内部電極形成用の図形パターンを形成する工程を備えていることを特徴とする積層セラミック電子部品の製造方法。
【請求項８】
請求項１〜６のいずれかに記載のグラビア印刷用版と、
グラビア印刷用版に印刷ペーストを供給するペースト供給手段と、
グラビア印刷用版上の余剰の印刷ペーストをかき取るかき取り手段と、
グラビア印刷用版の印刷パターン内に充填された印刷ペーストを被印刷体に転写する転写部と、
前記転写部まで被印刷体を搬送する搬送手段と
を具備することを特徴とするグラビア印刷装置。
【発明の詳細な説明】
【技術分野】
【０００１】
本願発明は、グラビア印刷用版、該グラビア印刷用版を用いてセラミックグリーンシートまたはキャリアフィルム上に導電性ペーストを印刷して、内部電極形成用の図形パターンを形成する工程を経て製造される積層セラミック電子部品の製造方法およびグラビア印刷装置に関する。
【背景技術】
【０００２】
積層セラミック電子部品の代表的なものの１つである積層セラミックコンデンサは、例えば、図１０に示すように、セラミック素子４１中に、複数の内部電極４２ａ，４２ｂがセラミック層４３を介して積層され、かつ、セラミック層４３を介して互いに対向する内部電極４２ａ，４２ｂが交互にセラミック素子４１の逆側の端面４４ａ，４４ｂに引き出されて、該端面に形成された外部電極４５ａ，４５ｂに接続された構造を有している。
【０００３】
このような構造を有する積層セラミックコンデンサは、通常、導電ペーストを印刷して表面に内部電極パターンを形成したセラミックグリーンシートを積層するとともにその上下両面側に、内部電極パターンが形成されていないセラミックグリーンシートを積層し、圧着することにより得られる積層体を焼成した後、焼成後の積層体（セラミック素子）の両端面に導電ペーストを塗布し、焼き付けて一対の外部電極を形成することにより製造されている。
【０００４】
そして、近年、生産性向上などの観点から、グラビア印刷法を用いて上述のような内部電極パターンなどの印刷を行う方法が広く用いられるようになっている。
このグラビア印刷法は、例えば、図１１に示すように、セラミックグリーンシート５１を、グラビアロール５２とバックロール５３の間を通過させ、グラビアロール５２の表面の印刷パターン６１（図１２）に保持された導電性ペーストを、セラミックグリーンシート５１の表面に転写することにより、セラミックグリーンシート５１上に内部電極パターン５４の印刷を行う方法であり、セラミックグリーンシートを間欠搬送する必要がなく、連続的に搬送しながら印刷を行うことができるため、近年注目されるに至っている。
【０００５】
ところで、グラビア印刷法においては、図１２に示すように、円柱状のグラビアロール５２の外周面に、印刷すべき図形パターン（内部電極パターン）５４に対応する形状の印刷パターン（画線部）６１が形成された版（グラビア印刷用版）が用いられており、印刷パターン６１は、所定量の導電性ペースト（印刷ペースト）を確実に保持することができるように、一般に、図１３に示すように、土手６２で区切られた複数のセル６３から構成されている（特許文献１）。
【０００６】
また、セラミックグリーンシートヘの導電性ペーストを目的とするものではないが、グラビアロール（グラビア円筒）への彫刻方法に関し、図１４に示すように、千鳥状に曲がりくねった土手７１を組み合わせてセル７２を構成する方法が開示されている（特許文献２）。
【０００７】
しかしながら、内部電極形成用の導電性ペースト（印刷ペースト）は一般的に高粘度であり、上記特許文献１のような、マトリックス状に配設された方形の複数のセルから印刷パターンが構成されたグラビア印刷用版を用いて、導電性ペーストをセラミックグリーンシートに印刷すると、導電性ペーストがセラミックグリーンシートに転写される際に、導電性ペーストの糸引きが生じる。そして、この糸引きがランダムな方向に生じてしまうと、糸状の導電性ペーストどうしが重なったり、交差したりして印刷されることにより形成される図形パターン（印刷塗膜）の表面の平滑性が悪化し、図形パターンの形状精度の低下や、厚みばらつきを招いたりするという問題点がある。
【０００８】
また、上記特許文献２のように、千鳥状に曲がりくねった土手を組み合わせてセルを構成するようにした場合にも、斜めに隣り合ったセルの間（例えば、図１４のセル７２ａとセル７２ｂの間）で糸引きが生じやすいという問題がある。
そして、糸引きがランダムに発生すると、例えば、積層セラミックコンデンサ製造用のセラミックグリーンシートに内部電極パターンを印刷する場合に表面に凹凸が生じ、圧着時に局部的に応力が集中し、層間で内部電極パターンがつながってショート不良を引き起こしたり、局部的にセラミックシートの膜厚が薄くなり絶縁不良を引き起こしたりするという問題点がある。また、内部電極パターンの表面の平滑性が損なわれると、内部電極の周辺部に凹凸（輪郭の滲み）が発生し、容量のばらつきやセラミック積層体の側面と内部電極の周辺部との距離（ギャップ）が小さくなることによる品質劣化や不良率の増大を引き起こすという問題点がある。
【特許文献１】特開平６−３１６１７４号公報
【特許文献２】特開平７−２６１３７６号公報
【発明の開示】
【発明が解決しようとする課題】
【０００９】
本願発明は、上記課題を解決するものであり、印刷ペーストを確実に保持するとともに、糸引きがランダムに発生することを抑制することが可能で、グラビア印刷により、平滑性や厚みの均一性に優れた図形パターンを形成することが可能なグラビア印刷用版、それを用いた積層セラミック電子部品の製造方法およびグラビア印刷装置を提供することを目的とする。
【課題を解決するための手段】
【００１０】
上記課題を解決するために、本願発明（請求項１）のグラビア印刷用版は、
グラビア印刷法により、印刷ペーストを所定の図形パターンとなるように被印刷物上に印刷するためのグラビア印刷用版であって、
円筒状のグラビアロールの外周面に、印刷すべき図形パターンに対応する印刷パターンが複数形成されており、
前記印刷パターンが、屈曲部を有し、略印刷方向に沿って伸びる複数の印刷方向土手を互いに略平行に配設することにより形成されていること
を特徴としている。
【００１１】
また、請求項２のグラビア印刷用版は、請求項１記載のグラビア印刷用版の構成において、前記印刷方向土手が千鳥状に屈曲していることを特徴としている。
【００１２】
また、請求項３のグラビア印刷用版は、請求項１または２記載のグラビア印刷用版の構成において、互いに隣り合う前記印刷方向土手に挟まれた、印刷方向に伸びる開口領域、および、印刷パターンの略印刷方向に沿う側縁部と、複数の前記印刷方向土手のうち、前記側縁部に最も近い印刷方向土手との間に形成される開口領域の少なくとも一方を、印刷方向に所定の間隔をおいて仕切る印刷ペースト溜め用土手が配設され、かつ、各印刷ペースト溜め用土手の少なくとも一箇所に、前記印刷ペーストの印刷方向への流動を許容する切り欠き部が形成されていることを特徴としている。
【００１３】
また、請求項４のグラビア印刷用版は、請求項１〜３のいずれかに記載のグラビア印刷用版の構成における、各印刷パターンにおいて、前記印刷方向土手以外の開口領域の平面面積の、印刷パターンの単位面積に対する割合を、所定の領域において他の領域と異ならせたことを特徴としている。
【００１４】
また、請求項５のグラビア印刷用版は、請求項１〜４のいずれかに記載のグラビア印刷用版の構成における、各印刷パターンにおいて、前記印刷方向土手以外の開口領域の平面面積の、印刷パターンの単位面積に対する割合を、印刷方向に直交する方向の両端側において小さくしたことを特徴としている。
【００１５】
また、請求項６のグラビア印刷用版は、請求項１〜４のいずれかに記載のグラビア印刷用版の構成における、各印刷パターンにおいて、前記印刷方向土手以外の開口領域の平面面積の、印刷パターンの単位面積に対する割合を、印刷パターンの周辺部において、印刷パターンの中央部よりも小さくしたことを特徴としている。
【００１６】
また、本願発明（請求項７）の積層セラミック電子部品の製造方法は、請求項１〜６のいずれかに記載のグラビア印刷用版を用いて、セラミックグリーンシートまたはキャリアフィルム上に導電性ペーストを印刷して、内部電極形成用の図形パターンを形成する工程を備えていることを特徴としている。
【００１７】
また、本願発明（請求項８）のグラビア印刷装置は、
請求項１〜６のいずれかに記載のグラビア印刷用版と、
グラビア印刷用版に印刷ペーストを供給するペースト供給手段と、
グラビア印刷用版上の余剰の印刷ペーストをかき取るかき取り手段と、
グラビア印刷用版の印刷パターン内に充填された印刷ペーストを被印刷体に転写する転写部と、
前記転写部まで被印刷体を搬送する搬送手段と
を具備することを特徴としている。
【発明の効果】
【００１８】
本願発明（請求項１）のグラビア印刷用版は、グラビア印刷法により、印刷ペーストを所定の図形パターンとなるように被印刷物上に印刷するためのグラビア印刷用版において、円筒状のグラビアロールの外周面に、屈曲部を有し、略印刷方向に沿って伸びる複数の印刷方向土手を、互いに略平行に配設することにより、印刷すべき図形パターンに対応する印刷パターンを形成するようにしているので、屈曲部を有する印刷方向土手により、印刷ペーストが印刷方向に流れ過ぎることを抑制し、屈曲部近傍の開口領域（屈折部開口領域）に必要な量と印刷ペーストを溜めることが可能になるとともに、印刷ペーストの糸引きを、屈曲部を有する印刷方向土手に沿って生じさせることが可能になり、糸引きの重なりを抑制して、図形パターン（印刷塗膜）の平滑性や厚みの均一性を向上させることが可能になる。
【００１９】
なお、印刷方向に延びる直線状の土手を複数本形成した場合には、直線状の土手と土手との間には必要な量の印刷ペーストを溜めることができないが、本願発明のように、屈曲部を有する形状とすることにより、屈曲して袋小路状になった部分に印刷ペーストを溜めることが可能になる。
【００２０】
また、本願請求項１の発明にかかるグラビア印刷用版においては、印刷パターンが、屈曲はしているが印刷方向土手のみで形成されているため、版の設計を簡略化することが可能になり、製版を安定して、かつ、容易に行なうことが可能になるとともに、印刷方向土手の幅や深さのばらつきを小さくすることが可能になり、製版コストを抑えることが可能になる。
したがって、本願発明のグラビア印刷用版を用いることにより、コストの増大を招くことなく、グラビア印刷により、形状精度に優れ、厚みの均一な図形パターンを得ることが可能になる。
【００２１】
なお、本願発明において、印刷方向土手の具体的な形状や構成に特別の制約はなく、屈曲部を有する直線形状としたり、屈曲部を有する曲線形状としたりすることが可能である。また、主要部は直線形状で屈曲部のみを湾曲した形状にすることも可能である。すなわち、本願発明において、印刷方向土手は、曲線のみ、直線同士の組合せ、直線と曲線の組合せのいずれの態様で構成することも可能である。
【００２２】
また、通常、印刷方向土手の高さは、各印刷方向土手において等しく、また、個々の印刷方向土手の各部においても等しいことが望ましい。
【００２３】
なお、電子部品の内部電極パターン形成用のグラビア印刷用版においては、特殊なセル形状のものが使用されており、一般的には、エッチング製版の方法により製造されている。そして、エッチング製版においてセルの深さを変えるためには、エッチング時間やエッチング液の濃度を変化させる方法がとられる。しかしながら、このときサイドエッジ（エッチングにより形成される凹部の側壁）のエッチング量も変化し、印刷方向土手などの土手の幅・長さも変化することになる。そして、印刷方向土手の幅・長さが変動すると、印刷により形成される図形パターン（内部電極パターン）の平滑性が損なわれ、塗布厚を目標通りに制御することができなくなる。一方、印刷方向土手の幅・長さを一定にしたままエッチング深さを変えようとするとエッチング条件を決定するために、多くの労力を必要とし、特に、電子部品の内部電極パターンのように、品種や導電性ペーストのロット毎に塗布厚の変更が必要になるような用途の場合、その労力はさらに膨大となる。
これに対し、本願発明によれば、開口領域（セル）の深さを変えずに、印刷方向土手の設計（セルの設計）のみで塗布厚をコントロールすることが可能になり、エッチング条件を決定するための労力を大きく低減することが可能になり製版コストの低減を図ることが可能になる。
【００２４】
また、請求項２のグラビア印刷用版のように、印刷方向土手を千鳥状に屈曲した形状とすることにより、比較的簡単な構成で、印刷ペーストが印刷方向に流れ過ぎることを抑制して、必要な印刷ペーストを屈折部開口領域に溜めることが可能になり、本願発明をより実効あらしめることが可能になる。
【００２５】
また、請求項３のグラビア印刷用版のように、互いに隣り合う前記印刷方向土手に挟まれた、印刷方向に伸びる開口領域、および、印刷パターンの略印刷方向に沿う側縁部と、複数の前記印刷方向土手のうち、前記側縁部に最も近い印刷方向土手との間に形成される開口領域の少なくとも一方を、印刷方向に所定の間隔をおいて仕切るように印刷ペースト溜め用土手を配設し、かつ、各印刷ペースト溜め用土手の少なくとも一箇所に、印刷ペーストの印刷方向への流動を許容する切り欠き部を形成するようにした場合、屈曲部開口領域に印刷ペーストを溜めることができるようになり、塗布厚のコントロール範囲を拡げることが可能になる。また、切り欠き部を形成することによって、そこから印刷ペーストが安定して流れるため、糸引きも切り欠き部に沿って生じることになり、糸引きがランダムに生じることによる、図形パターン（印刷塗膜）の表面の平滑性の低下を防止して、グラビア印刷により、形状精度に優れ、厚みの均一な図形パターンを形成することが可能になる。
【００２６】
また、請求項４のグラビア印刷用版のように、各印刷パターンにおいて、印刷方向土手以外の開口領域の平面面積の、印刷パターン（印刷方向土手と開口領域の両方を含む）の単位面積に対する割合を、所定の領域において他の領域と異ならせることにより、印刷パターンが印刷されることにより形成される図形パターンの、所定の領域における厚みを制御することが可能になり、本願発明をより実効あらしめることが可能になる。
【００２７】
また、請求項５のグラビア印刷用版のように、各印刷パターンにおいて、印刷方向土手以外の開口領域の平面面積の、印刷パターン（印刷方向土手と開口領域の両方を含む）の単位面積に対する割合を、印刷方向に直交する方向の両端側において小さくした場合、印刷方向に直交する方向の両端側が厚くなりすぎることを抑制、防止して、厚みの均一な図形パターンを形成（印刷）することが可能になる。
【００２８】
また、請求項６のグラビア印刷用版のように、各印刷パターンにおいて、印刷方向土手以外の開口領域の平面面積の、印刷パターンの単位面積に対する割合を、印刷パターンの周辺部では、印刷パターンの中央部より小さくすることにより、被印刷物に形成された図形パターンがいわゆるサドル状（中央部の厚みが薄く、周辺部の厚みが厚い形状）になることを確実に防止して、厚みの均一な図形パターンを確実に形成することが可能になる。
【００２９】
また、本願発明（請求項７）の積層セラミック電子部品の製造方法は、請求項１〜６のいずれかに記載のグラビア印刷用版を用いて、セラミックグリーンシートまたはキャリアフィルム上に導電性ペーストを印刷して、内部電極形成用の図形パターンを形成する工程を備えているので、厚みが均一で、形状精度の高い内部電極を備えた、信頼性の高い積層セラミック電子部品を効率よく製造することが可能になる。
【００３０】
また、本願発明（請求項８）のグラビア印刷装置は、請求項１〜６のいずれかに記載のグラビア印刷用版と、グラビア印刷用版に印刷ペーストを供給するペースト供給手段と、グラビア印刷用版上の余剰の印刷ペーストをかき取るかき取り手段と、グラビア印刷用版の印刷パターン内に充填された印刷ペーストを被印刷体に転写する転写部と、転写部まで被印刷体を搬送する搬送手段とを備えているので、このグラビア印刷装置を用いて、印刷ペーストを印刷することにより、形状精度に優れ、厚みの均一な図形パターンを効率よく形成することが可能になる。なお、このグラビア印刷装置により、例えば、セラミックグリーンシート（被印刷体）に導電性ペーストを印刷することにより、形状精度が高く、厚みの均一な内部電極パターンを効率よく形成することが可能になる。
【００３１】
なお、本願発明のグラビア印刷装置においては、印刷ペーストの供給手段として、印刷ペーストを溜めたペースト槽にグラビアロールを浸漬するようにしたものや、グラビアロールの表面に印刷ペーストを注ぎかけるようにしたものなど、種々の構成のものを用いることが可能である。
また、グラビア印刷用版上の余剰の印刷ペーストをかき取るかき取り手段としては、ゴム製のブレードなどが例示されるが、その他の構成のものを用いることも可能である。
また、グラビア印刷用版の印刷パターン内に充填された印刷ペーストを被印刷体に転写する転写部の構成としては、圧胴により被印刷体（例えば、セラミックグリーンシート）をグラビアロールに押し付けるようにした構成のものなどが例示されるが、転写部の具体的な構成はこれに限られるものではなく、その他の構成とすることも可能である。
また、転写部まで被印刷体を搬送する搬送手段としては、巻き取りローラにより被印刷体（例えば、キャリアフィルムに保持されたセラミックグリーンシートなど）を巻き取って搬送するようにしたものや、ベルトコンベアを利用したものなどが例示されるが、その他の構成とすることも可能である。
【発明を実施するための最良の形態】
【００３２】
以下に本願発明の実施例を示して、本願発明の特徴とするところをさらに詳しく説明する。
【実施例１】
【００３３】
図１は本願発明の一実施例にかかるグラビア印刷用版を示す図、図２はこのグラビア印刷用版を備えたグラビア印刷装置の概略構成を示す図である。
【００３４】
本願発明のグラビア印刷用版を用いたグラビア印刷装置１０は、積層セラミックコンデンサの製造工程において、セラミックグリーンシートに内部電極パターン形成用の導電性ペーストを印刷するために用いられるグラビア印刷装置であり、図２に示すように、表面に複数の印刷パターンＰを備えたグラビアロール（グラビア印刷用版）１、導電性ペースト２を収容するペースト槽３、グラビアロール１に付着した過剰の導電性ペースト２をかき取るかき取り手段（ブレード）（例えばドクターブレードなど）４、バックロール（圧胴）５、セラミックグリーンシート６を搬送する巻き取りローラ（図示せず）などの搬送手段を備えている。なお、バックロール（圧胴）５によりセラミックグリーンシート６をグラビアロール１に押し付けることにより導電性ペースト２をセラミックグリーンシート６に転写する部分が本願発明のグラビア印刷装置における転写部となる。
【００３５】
そして、セラミックグリーンシート６を、グラビアロール１とバックロール５の間を通過させ、グラビアロール１の表面の印刷パターンＰに保持された導電性ペースト２を、セラミックグリーンシート６の表面に転写することにより、セラミックグリーンシート６上に内部電極パターン７を印刷することができるように構成されている。
【００３６】
グラビアロール１への導電性ペースト２の供給は、上述のようなペースト槽３に溜めた導電性ペースト２へのグラビアロール１の浸漬により行われる。なお、上記ペースト槽３およびグラビアロール１を浸漬させる機構（図示せず）が本願発明のグラビア印刷装置におけるペースト供給手段を構成することになる。
ただし、グラビアロール１への導電性ペースト２の供給方法は、これに限られるものではなく、グラビアロール１の表面に導電性ペースト２を注ぎかける方法などを採用することも可能である。
【００３７】
なお、上述のようにして内部電極パターン７が印刷されたセラミックグリーンシートを、積層・圧着し、焼成および外部電極の形成を行うことにより、積層セラミックコンデンサが製造される。なお、キャリアフィルム上に導電性ペーストを印刷して、セラミックグリーンシートに転写して内部電極パターンとすることも可能である。
【００３８】
そして、グラビア印刷装置に用いられているグラビア印刷用版は、円筒状のグラビアロール１の外周面に、複数の印刷パターンＰを配設することにより形成されており、印刷パターンＰは、図１に示すように、屈曲部１２を有し、印刷方向（矢印Ａで示す方向）に沿って伸びる複数の印刷方向土手１３を、互いに略平行に配設することにより形成されている。なお、この実施例１では、印刷方向土手１３は千鳥状に屈曲している。
【００３９】
また、印刷パターンＰを構成する印刷方向土手１３のうち、隣り合う一対の印刷方向土手１３についてみると、印刷方向Ａに直交する方向についてみた場合、一対の印刷方向土手１３の間隔Ｇは、印刷方向のいずれの位置においてもほぼ同一となっている。
【００４０】
各印刷パターンＰにおいて、印刷方向土手１３以外の開口領域１４、例えば、隣り合う印刷方向土手１３により挟まれて形成される開口領域（凹部）１４ａ、印刷パターンＰの略印刷方向Ａに沿う側縁部Ｐｓと、複数の印刷方向土手１３のうち、側縁部Ｐｓに最も近い印刷方向土手１３（１１３）との間に形成される開口領域（凹部）１４ｂの平面面積の、印刷パターンＰ（印刷方向土手１３と開口領域１４（１４ａ，１４ｂ）の両方を含む）の単位面積に対する割合が、印刷パターンＰの周辺部においては、印刷パターンＰの中央部よりも小さくなるように構成されている。なお、この実施例では、印刷パターンＰの周辺領域では印刷方向土手１３の幅を大きくする（すなわち、大幅部１３ａを設ける）ことにより、印刷パターンＰの周辺部においては、開口領域（凹部）１４ｂの平面面積の、印刷パターンＰの単位面積に対する割合が、印刷パターンＰの中央部よりも小さくなるようにしている。
【００４１】
なお、上述の印刷パターンＰの各部の条件は以下の通りである。
印刷方向土手の幅：５μm，２０μm（大幅部）
印刷方向土手の屈曲部の角度（屈曲角度）θ：３６°
屈曲部のピッチｐ１：２００μm
印刷方向土手の間隔Ｇ：１７０μm
印刷方向土手の印刷方向Ａに直交する方向の屈曲部間距離Ｈ：１７０μm
開口領域（凹部）の深さ：２１μm（セル中央部）
【００４２】
上述のように外周面にグラビア印刷用版が形成された（グラビアロール）１を備えたグラビア印刷装置１０を用い、図２に示すように、セラミックグリーンシート６を、グラビアロール１とバックロール５の間を通過させ、グラビアロール１の表面の印刷パターンＰに保持された導電性ペースト２を、セラミックグリーンシート６の表面に転写することにより、セラミックグリーンシート６上に、厚みが均一で、表面の平滑性に優れた内部電極パターン７を印刷することが可能になる。
【００４３】
なお、上記実施例１のグラビア印刷用版においても、通常のグラビア印刷用版と同様に、通常は、内部電極パターン（図形パターン）７の印刷開始部のカスレや印刷終了部のニジミを防止するための対策をとることが必要になるが、本願発明はかかる対策をとることを何ら妨げるものではなく、本願発明の構成は、内部電極パターン（図形パターン）７のうち、印刷開始部のカスレや印刷終了部を除く部分に適用することができる。なお、印刷ペーストの特性により、印刷開始部のカスレや印刷終了部のニジミを防止するための対策をとることが必要でない場合には、内部電極パターン（図形パターン）の全面に適用することも可能である。
【００４４】
また、図３は、本願発明のグラビア印刷用版の変形例を示す図である。この図３のグラビア印刷用版では、印刷方向土手１３の間隔を、図１に示す上記実施例１のグラビア印刷用版と同一にする一方、屈曲部１２のピッチｐ１を３００μm（図１の上記実施例１では２００μm）とし、かつ、印刷方向土手の屈曲部の角度（屈曲角度）θを６２°（上記実施例１では３６°）とした。なお、図３において、図１と同一符号を付した部分は、同一または相当する部分を示している。
【００４５】
上述のように、屈曲部１２のピッチｐ１を大きくするとともに、屈曲角度θを６２°と大きくすることにより、屈曲し、袋小路状になった屈曲部開口領域１４ｃに溜まるペースト量が少なくなり、導電性ペースト２の塗布厚を薄くすることが可能になる。
なお、図１に示す実施例１のグラビア印刷用版と、図３に示す変形例のグラビア印刷用版を用い、屈曲部１２のピッチｐ１と、屈曲部の角度（屈曲角度）θ以外の条件を同一とし、
導電性ペーストの粘度：２０Ｐａ・Ｓ
印刷速度１５ｍ／min
の条件で導電性ペースト２を印刷した結果、形成された図形パターンの厚みは、表１に示すように、実施例１のグラビア印刷用版を用いた場合には１．２μmであるのに対し、変形例（図３）のグラビア印刷用版を用いた場合には１．０μmとなり、図形パターンの厚みが薄くなることが確認された。
【００４６】
【表１】
2006110916.tif 000003
【００４７】
また、図４は、本願発明のグラビア印刷用版の他の変形例を示す図である。
この図４のグラビア印刷用版においては、進行方向に直交する方向の中央領域では印刷方向土手１３の配設間隔を広くし、進行方向に直交する方向の両端側領域では、印刷方向土手１３の配設間隔を狭くするとともに、印刷方向に沿う方向の前方側領域と、後方側領域では、印刷方向土手１３の幅を大きくすることにより、開口領域１４ａ，１４ｂの平面面積の、印刷パターンＰの単位面積に対する割合が、印刷パターンＰの中央部よりも小さくなるようにしている。なお、図４において、図１と同一符号を付した部分は、同一または相当する部分を示している。
【００４８】
この図４に示すように構成されたグラビア印刷用版を用いた場合にも、セラミックグリーンシート６上に、厚みが均一で、表面の平滑性に優れた内部電極パターン７を印刷することが可能になる。
【００４９】
なお、印刷方向土手１３の間隔が２００μm程度（通常は、例えば１００〜３５０μmの範囲）の場合には、印刷方向土手１３の間隔が狭くなるにつれて塗布厚は薄くなり、間隔が広くなるにつれて塗布厚は厚くなる傾向がある。なお、隣り合う印刷方向土手１３の間隔が広くなりすぎると導電性ペースト２が印刷方向に流動してしまい、かえって塗布厚が薄くなる傾向がある。
【００５０】
また、図５は本願発明のさらに他の実施例にかかるグラビア印刷用版を示す図である。このグラビア印刷用版は、印刷方向土手１３の平面形状を曲線形状としたものであり、屈曲部１２を湾曲した形状としたものである。その他の構成は、図１に示すグラビア印刷用版と同様であることから、重複を避けるため説明を省略する。なお、図５において、図１と同一符号を付した部分は、同一または相当する部分を示している。
【００５１】
この図５のグラビア印刷用版のように、印刷方向土手１３の形状を曲線状とすることにより、印刷パターンＰへの導電性ペースト２の供給時および印刷時に導電性ペースト２をより円滑に流動させることが可能になる。また、版からの不要な導電性ペーストの除去（掃除）も容易になり、残留導電性ペーストに起因する不具合の発生を抑制する見地からも望ましい。
【００５２】
なお、図６(ａ)，(ｂ)は、導電性ペースト２の供給時における導電性ペースト２の流動状態、図７(ａ)，(ｂ)は、印刷時における導電性ペースト２の流動状態を示す図である。
【００５３】
図６(ａ)，(ｂ)に示すように、ブレードにてグラビア印刷用版上の余分な導電性ペースト２を掻き取る際には、矢印Ｙで示すような導電性ペースト２の流動が生じ、屈曲し、袋小路状になった屈曲部開口領域１４ｃに導電性ペースト２が充填される。なお、屈曲し、袋小路状になった屈曲部開口領域１４ｃに導電性ペースト２が溜められることにより、印刷パターンＰに、良好な印刷を行うために必要な量の導電性ペースト２を保持させることが可能になる。
なお、図６(ａ)，(ｂ)において、図１と同一符号を付した部分は、同一または相当する部分を示している。
【００５４】
また、転写時には、互いに隣り合う２本の印刷方向土手１３により囲まれた開口領域１４ａにおいては、図７(ａ)，(ｂ)に示すように、糸引き方向が印刷方向の一方向に限定される。
特に隣り合う印刷方向土手１３の印刷方向に直交する方向の間隔が、印刷方向のいずれの位置においてもほぼ同一であることから、ブレードによる掻き取り時の導電性ペースト２の流れや転写時の糸引きが隣り合う印刷方向土手間で交わることが抑制される。そのため電子部品の電極形成用の導電性ペーストのように、金属含有率が高く、高粘度の導電性ペーストを印刷ペーストとして用いる場合にも、糸引きが印刷方向と斜めに走ることが抑制され、糸引きの離散・融合・中断などがアトランダムに発生することがない。その結果、導電性ペーストが印刷されることにより形成される図形パターン（塗膜）の表面の凹凸を小さくして、平滑性に優れ、厚みの均一な図形パターン（内部電極パターン）を形成することが可能になる。
なお、図７(ａ)，(ｂ)において、図１と同一符号を付した部分は、同一または相当する部分を示している。
【００５５】
上述の実施例１および各変形例のグラビア印刷用版のように、屈曲部を有する印刷方向土手１３のみから印刷パターンを形成することにより、版の設計を簡単に行うことが可能になるとともに、製版を安定して行うことが可能になり、コストの低減を図ることができる。
【００５６】
また、この実施例１および各変形例のように構成されたグラビア印刷用版を用いることにより、被印刷物上に、効率よくしかも高い形状精度で導電性ペースト（図形パターン）を印刷することができるようになるため、セラミックグリーンシートまたはキャリアフィルム上に導電性ペーストを印刷して、内部電極形成用の図形パターンを形成する工程を経て製造される積層セラミックコンデンサのような積層セラミック電子部品を効率よく製造することが可能になる。
【００５７】
なお、電子部品の電極形成用の導電性ペーストの粘度は、０．１〜４０Ｐａ・Ｓ程度と、通常のグラビア印刷に使用されているインクの粘度より高く、また、印刷塗布厚も０．５〜２μmと、通常のグラビア印刷に使用されているインクの塗布厚よりも厚いが、このような条件下においても、上述のようなグラビア印刷用版を用いることにより、平滑な図形パターンを得ることができる。
【実施例２】
【００５８】
図８は本願発明の他の実施例（実施例２）にかかるグラビア印刷用版を示す図である。このグラビア印刷用版においては、互いに隣り合う印刷方向土手１３に挟まれた、印刷方向（矢印Ａで示す方向）に伸びる領域（開口領域）１４（１４ａ）、印刷パターンＰの略印刷方向Ａに沿う側縁部Ｐｓと、複数の印刷方向土手１３のうち、側縁部Ｐｓに最も近い印刷方向土手１３（１１３）との間に形成される開口領域（凹部）１４ｂを、印刷方向に所定の間隔をおいて仕切るように印刷ペースト溜め用土手２３が配設されており、各印刷ペースト溜め用土手２３の少なくとも一箇所には、印刷ペースト（導電性ペースト）２の印刷方向への流動を許容する切り欠き部２３ａが形成されている。
【００５９】
なお、その他の構成は、図１のグラビア印刷用版と同様であることから、重複を避けるため、説明を省略する。なお、図８において、図１と同一符号を付した部分は、同一または相当する部分を示している。
【００６０】
この実施例２のグラビア印刷用版のように、切り欠き部２３ａを備えた印刷ペースト溜め用土手２３を設けることにより、印刷ペーストが粘度の低いペーストである場合にも、印刷ペーストを印刷することにより形成される図形パターン（塗膜）の表面の凹凸を小さくすることが可能になる。また、印刷ペースト溜め用土手２３と印刷方向土手１３の屈曲部１２の相乗効果により、ブレードによる掻き取り後にも、必要な印刷ペーストを開口領域１４（特に屈曲部開口領域１４ｃの近傍）に溜めることが可能になり、信頼性の高い印刷を行って、形状精度の高い図形パターンを得ることが可能になる。
【００６１】
なお、図１に示す実施例１のグラビア印刷用版と、図８に示すこの実施例２のグラビア印刷用版を用い、以下の条件で、導電性ペーストを印刷した結果、形成された図形パターンの厚みは、表２に示すとおりである。
【００６２】
印刷方向土手の幅：実施例１および実施例２とも５μm，２０μm（大幅部）
印刷方向土手の屈曲部の角度（屈曲角度）θ：実施例１；３６°、実施例２；６２°
屈曲ピッチｐ１：実施例１；２００μm、実施例２；３５０μm
印刷方向土手の間隔Ｇ：実施例１および実施例２とも１７０μm
印刷方向土手の印刷方向Ａに直交する方向の屈曲部間距離Ｈ：実施例１；１７０μm、実施例２；１２０μm
開口領域（凹部）の深さ：実施例１および実施例２とも２１μm（セル中央部）
導電性ペーストの粘度：２５Ｐａ・Ｓ
印刷速度：１５ｍ／min
【００６３】
【表２】
2006110916.tif 000004
【００６４】
また、図９(ａ)，(ｂ)，(ｃ)は上記実施例２のグラビア印刷用版の変形例を示す図である。
図９(ａ)，(ｂ)，(ｃ)に示すように、印刷ペースト溜め用土手２３を配設する位置により、導電性ペーストを印刷することにより形成される図形パターン（塗膜）の厚みの増加程度が変化する。
【００６５】
すなわち、図９(ａ)に示すように、屈曲部１２の山側に印刷ペースト溜め用土手２３を設けた場合には、図形パターンの厚みが大きくなる。これは、各印刷ペースト溜め用土手２３の切り欠き部２３ａが、１本の印刷ペースト溜め用土手についてみた場合に、印刷方向にジグザグに配設されているため、ブレードにより導電性ペースト２を掻き取る際に、導電性ペースト２が流れにくく、導電性ペースト２の保持量が多くなることによる。
【００６６】
一方、図９(ｃ)に示すように、屈曲部１２の谷側に印刷ペースト溜め用土手２３を設けた場合には、図形パターンの厚みが薄くなる。これは、各印刷ペースト溜め用土手２３の切り欠き部２３ａが、１本の印刷ペースト溜め用土手についてみた場合に、印刷方向に直線上に並ぶことになるため、ブレードにより導電性ペースト２を掻き取る際に、導電性ペースト２が流れやすくなることによる。
【００６７】
また、図９(ｂ)は上述の図９(ａ)と図９(ｃ)の中間となる。
このように、印刷ペースト溜め用土手２３の配設位置により、図形パターンの厚みをコントロールすることが可能である。
【００６８】
なお、印刷ペースト溜め用土手２３の切り欠き部２３ａの幅Ｈ１（図８）は、電子部品の内部電極パターン形成用の高粘度の導電性ペーストを印刷する場合には、印刷ペースト溜め用土手２３の幅Ｈ２（図８）より広いことが望ましい。また、この切り欠き位置は形成すべき図形パターンの形状や、目標とする印刷厚みなどを考慮して定めることが望ましい。
【００６９】
また、上記実施例では、積層セラミックコンデンサ用の内部電極パターンを印刷する際に用いられるグラビア印刷用版を例にとって説明したが、本願発明は積層セラミックコンデンサ以外の種々の電子部品を製造する場合において、その電極パターンを印刷する場合に適用することが可能である。
【００７０】
また、本願発明のグラビア印刷用版は、導電性ペーストを印刷する場合に限らず、セラミックペースト、誘電体ペースト、抵抗ペーストなど種々のペーストを印刷する場合に適用することが可能であり、セラミックペーストを印刷してセラミックグリーンシートを形成する場合や、誘電体ペーストを印刷して誘電体層を形成する場合などにも適用することが可能である。
【００７１】
なお、本願発明は、その他の点においても、上記実施例に限定されるものではなく、印刷パターンや図形パターン、印刷パターンを構成する印刷方向土手や印刷ペースト溜め用土手の具体的な形状や配設数、本願発明のグラビア印刷用版を用いて、セラミックグリーンシートまたはキャリアフィルム上に導電性ペーストを印刷して、内部電極形成用の図形パターンを形成する工程を経て製造される積層セラミック電子部品の種類などに関し、発明の範囲内において、種々の応用、変形を加えることが可能である。
【産業上の利用可能性】
【００７２】
上述のように、本願発明によれば、コストの増大を招くことなく、グラビア印刷により、形状精度に優れ、厚みの均一な図形パターンを得ることが可能になる。
したがって、本願発明は、グラビア印刷装置などの分野や、セラミックグリーンシートまたはキャリアフィルム上に導電性ペーストを印刷して、内部電極形成用の図形パターンを形成する工程を経て製造される積層セラミックコンデンサのような積層セラミック電子部品の製造工程などに広く用いることが可能である。
【図面の簡単な説明】
【００７３】
【図１】本願発明の一実施例にかかるグラビア印刷用版を示す図である。
【図２】本願発明の一実施例にかかるグラビア印刷用版を備えたグラビア印刷装置の概略構成を示す図である。
【図３】本願発明の一実施例にかかるグラビア印刷用版の変形例を示す図である。
【図４】本願発明の一実施例にかかるグラビア印刷用版の他の変形例を示す図である。
【図５】本願発明の一実施例にかかるグラビア印刷用版のさらに他の変形例を示す図である。
【図６】(ａ)，(ｂ)は本願発明の実施例にかかるグラビア印刷用版に印刷ペースト（導電性ペースト）を供給し、ブレードによりかき取る際の印刷ペースト（導電性ペースト）の流れを説明する図である。
【図７】(ａ)，(ｂ)は本願発明の実施例にかかるグラビア印刷用版を用いて印刷ペースト（導電性ペースト）を印刷する際の印刷ペースト（導電性ペースト）の流れを説明する図である。
【図８】本願発明の他の実施例（実施例２）にかかるグラビア印刷用版を示す図である。
【図９】(ａ)，(ｂ)，(ｃ)は本願発明の実施例２のグラビア印刷用版の変形例を説明する図である。
【図１０】積層セラミックコンデンサの構造を示す断面図である。
【図１１】グラビア印刷法の概要を説明する図である。
【図１２】表面に印刷パターン（画線部）を備えたグラビアロールを示す斜視図である。
【図１３】従来のグラビア印刷用版の構成を示す図である。
【図１４】従来の他のグラビア印刷用版を示す図である。
【符号の説明】
【００７４】
１        グラビアロール（グラビア印刷用版）
２        導電性ペースト
３        ペースト槽
４        かき取り手段（ブレード、ドクターブレード）
５        バックロール（圧胴）
６        セラミックグリーンシート
７        内部電極パターン
１０      グラビア印刷装置
１１      印刷パターン
１２      屈曲部
１３      印刷方向土手
１３ａ    大幅部
１４      開口領域
１４ａ    開口領域（凹部）
１４ｂ    開口領域（凹部）
１４ｃ    屈曲部開口領域
２３      印刷ペースト溜め用土手
２３ａ    切り欠き部
１１３    側縁部に最も近い印刷方向土手
Ａ        印刷方向
Ｐ        印刷パターン
ｐ１      屈曲部のピッチ
Ｐｓ      側縁部
Ｇ        印刷方向土手の間隔
Ｈ        屈曲部間距離
Ｈ１      切り欠き部の幅
Ｈ２      印刷ペースト溜め用土手の幅
Ｙ        矢印
θ        屈曲部の角度
【図１】
2006110916.tif 000005
【図２】
2006110916.tif 000006
【図３】
2006110916.tif 000007
【図４】
2006110916.tif 000008
【図５】
2006110916.tif 000009
【図６】
2006110916.tif 000010
【図７】
2006110916.tif 000011
【図８】
2006110916.tif 000012
【図９】
2006110916.tif 000013
【図１０】
2006110916.tif 000014
【図１１】
2006110916.tif 000015
【図１２】
2006110916.tif 000016
【図１３】
2006110916.tif 000017
【図１４】
2006110916.tif 000018